(57)【特許請求の範囲】
【請求項１】
雰囲気中の特定成分を吸着する反応材が一面に設けられ、浸漬される雰囲気中の前記特定成分の前記一面の付着量に応じて周波数が変化する複数の発振子と、
一の前記発振子と帰還抵抗素子とが入力端子と出力端子との間に並列に接続された増幅器を備える複数の発振回路と、
各前記発振回路の前記増幅器の正側電源端子に、前記増幅器を動作させるオン電圧と、前記増幅器の動作を停止させるオフ電圧とをそれぞれ印加する制御部と、
各前記発振回路の前記増幅器の前記出力端子がそれぞれ接続された伝送路と、
前記伝送路に接続され、前記伝送路を流れる信号の周波数を計測する計測部と、
を有し、
前記制御部は、複数の前記発振回路のうち、一の前記発振回路に前記オン電圧を印加し、他の前記発振回路には前記オフ電圧を印加するように構成され、
前記計測部で計測された前記周波数に基づいて、各前記発振子の前記付着量をそれぞれ求める分析装置であって、
各前記発振回路の前記増幅器の前記出力端子と前記伝送路との間には、前記オフ電圧が印加された前記発振回路を前記伝送路から電気的に切り離し、前記オン電圧が印加された前記発振回路の出力信号を前記伝送路を介して前記計測部に伝達する逆流防止回路が接続された分析装置。
【請求項２】
前記逆流防止回路は、各前記発振回路と前記伝送路との間にそれぞれ直列に接続された複数の容量性カップリングを有する請求項１記載の分析装置。
【請求項３】
前記逆流防止回路は、各前記発振回路と前記伝送路との間にそれぞれ直列に接続された複数のダイオードを有する請求項１記載の分析装置。
【請求項４】
前記制御部は複数のトランジスタを有し、
各前記発振回路の前記増幅器の正側電源端子にはそれぞれ異なる前記トランジスタのドレインが電気的に接続された請求項１乃至請求項３のいずれか１項記載の分析装置。
【請求項５】
前記制御部は複数の出力端子を有するＣＭＯＳ論理回路であり、
各前記発振回路の前記増幅器の正側電源端子には前記ＣＭＯＳ論理回路のそれぞれ異なる前記出力端子が電気的に接続された請求項１乃至請求項３のいずれか１項記載の分析装置。
【発明の詳細な説明】
【技術分野】
【０００１】
本発明は、分析装置に係り、特に、雰囲気中での発振子の発振周波数を測定し、測定された周波数に基づいて、発振子表面に付着した特定成分の分析を行う分析装置に関する。
【背景技術】
【０００２】
液体中の特定成分と反応して吸着する反応材が一面に設けられた発振子を、例えば血液などの液体中に浸漬させると、液体中の特定成分が反応材の表面と反応して付着し、発振子の発振周波数が減少するという現象を用いて、試料中の特定成分の反応速度等を分析する分析装置が現在開発されている。
近年では、測定時間の短縮や測定精度の向上の要求から、複数の発振子を用いて、複数の試料から特定の成分を同時に分析できる分析装置が考案されている。
【０００３】
特許文献１に開示された分析装置１００は、図５を参照し、複数の発振子１１１1〜１１１4と、各発振子１１１1〜１１１4が接続された信号切換部１７０と、信号切換部１７０に接続された一つの発振回路１１２と、発振回路１１２の出力信号を計測する計測部１１４とを有している。発振回路１１２を動作させながら、信号切換部１７０のスイッチ１７１1〜１７１4を順番に一つずつ導通させることにより、各発振子１１１1〜１１１4を順番に一つずつ時間を区切って発振させることができる。特許文献１には、各発振子１１１1〜１１１4を一つずつ発振させることにより、発振子１１１1〜１１１4同士が干渉しない旨記載されている。
【０００４】
しかしながら、特許文献１の分析装置１００では、信号切換部１７０に電磁リレーを用いると、切換頻度に比例して寿命が短くなるため、単位時間当たりの測定回数を増やすことができないという問題があり、また、発振子１１１1〜１１１4の数が増えると電磁リレーの数も増えて、消費電力が増大するという問題があった。
【０００５】
一方、信号切換部１７０に半導体リレーを用いると、電磁リレーよりも出力端子間容量が大きいために、発振子１１１1〜１１１4同士の干渉が起きるという問題があり、また、電磁リレーよりもオン抵抗が大きいために、発振子１１１1〜１１１4が基本波又は逓倍波で発振しなくなるという問題があった。
【０００６】
特許文献２に開示された分析装置２００は、図６を参照し、複数の発振子２１１1〜２１１8と、各発振子２１１1〜２１１8にそれぞれ接続された複数の発振回路２１２1〜２１２8と、各発振回路２１２1〜２１２8からの出力信号を切り換えて一チャンネルずつ出力する信号切換部２７０と、信号切換部２７０の出力信号を計測する計測部２１４とを有している。特許文献２には発振子２１１1〜２１１8同士が干渉しないように、各発振子２１１1〜２１１8にはシールド２９３が設けられている旨記載されている。
【０００７】
しかしながら、特許文献２の分析装置２００では、各発振回路２１２1〜２１２8を常に動作させて各発振子２１１1〜２１１8を常に振動させているため、無駄な電流消費が生じていた。また、信号切換部２７０の具体的な構成は開示されていないが、各発振回路２１２1〜２１２8の出力信号を常に切り換えているため、信号切換部２７０に係る消費電流を抑えることは困難であると推測される。
【０００８】
また、特許文献３では、一枚の水晶板に複数の発振子が配置されるように電極を配線し、各発振子から一つの発振回路までの配線数が発振子の数より少なくなるように構成された分析装置が開示されているが、発振回路と各発振子との間の配線が非対称であるため、水晶板上での発振子の位置により発振条件が変化し、発振子に加わる温度や溶液粘度の変化によって発振子の周波数応答が各発振子間で一致しなくなるという問題があった。また、信号切換部が一つの発振回路と各発振子との間に設けられているため、信号切換部にリレーを用いた場合には、特許文献１の分析装置に関して説明したのと同様の問題が生じるおそれがあった。
【先行技術文献】
【特許文献】
【０００９】
【特許文献１】特開２００２−１４８２９５号公報
【特許文献２】特開２００６−１９４８６８号公報
【特許文献３】特開２０００−３３８０２２号公報
【特許文献４】特開２０１０−８７５７１号公報
【発明の概要】
【発明が解決しようとする課題】
【００１０】
本発明は上記従来技術の不都合を解決するために創作されたものであり、その目的は、複数の発振子を互いに干渉させずに発振させることができ、かつ消費電流の少ない分析装置を提供することにある。
【課題を解決するための手段】
【００１１】
上記課題を解決するために本発明は、雰囲気中の特定成分を吸着する反応材が一面に設けられ、浸漬される雰囲気中の前記特定成分の前記一面の付着量に応じて周波数が変化する複数の発振子と、一の前記発振子と帰還抵抗素子とが入力端子と出力端子との間に並列に接続された増幅器を備える複数の発振回路と、各前記発振回路の前記増幅器の正側電源端子に、前記増幅器を動作させるオン電圧と、前記増幅器の動作を停止させるオフ電圧とをそれぞれ印加する制御部と、各前記発振回路の前記増幅器の前記出力端子がそれぞれ接続された伝送路と、前記伝送路に接続され、前記伝送路を流れる信号の周波数を計測する計測部と、を有し、前記制御部は、複数の前記発振回路のうち、一の前記発振回路に前記オン電圧を印加し、他の前記発振回路には前記オフ電圧を印加するように構成され、前記計測部で計測された前記周波数に基づいて、各前記発振子の前記付着量をそれぞれ求める分析装置であって、各前記発振回路の前記増幅器の前記出力端子と前記伝送路との間には、前記オフ電圧が印加された前記発振回路を前記伝送路から電気的に切り離し、前記オン電圧が印加された前記発振回路の出力信号を前記伝送路を介して前記計測部に伝達する逆流防止回路が接続された分析装置である。
本発明は分析装置であって、前記逆流防止回路は、各前記発振回路と前記伝送路との間にそれぞれ直列に接続された複数の容量性カップリングを有する分析装置である。
本発明は分析装置であって、前記逆流防止回路は、各前記発振回路と前記伝送路との間にそれぞれ直列に接続された複数のダイオードを有する分析装置である。
本発明は分析装置であって、前記制御部は複数のトランジスタを有し、各前記発振回路の前記増幅器の正側電源端子にはそれぞれ異なる前記トランジスタのドレインが電気的に接続された分析装置である。
本発明は分析装置であって、前記制御部は複数の出力端子を有するＣＭＯＳ論理回路であり、各前記発振回路の前記増幅器の正側電源端子には前記ＣＭＯＳ論理回路のそれぞれ異なる前記出力端子が電気的に接続された分析装置である。
【発明の効果】
【００１２】
測定しない発振子の発振回路にはオフ電圧を印加して動作を停止させるので、電流消費を抑えることができる。また、同時に二個以上の発振子を動作させないので、出力信号の干渉を排除できる。
【００１３】
制御部は発振回路の直流電源線（増幅器の正側電源端子）に接続され、信号線（増幅器の入力端子又は出力端子）には接続されていないため、制御部のオン抵抗が大きいことにより発振子が所定周波数で発振しなかったり、制御部の出力端子間容量により交流信号を遮断できないという問題は生じない。そのため、制御部はオン抵抗、出力端子間容量の大きい半導体リレーでも構成することができる。
【００１４】
一の発振子には一の発振回路が接続されているので、発振子と発振回路と、を接続する配線を各発振子を通して最短にすることができる。すなわち、各発振子と発振回路と、を接続する配線のインピーダンスを下げることができるので、発振回路の発振余裕度が向上する。
【図面の簡単な説明】
【００１５】
【図１】本発明の分析装置の内部構成図
【図２】本発明の分析装置の等価回路図
【図３】（ａ）：発振子の平面図  （ｂ）：同Ａ−Ａ線切断断面図
【図４】本発明の第二例の分析装置の等価回路図
【図５】従来の分析装置の第一例の内部構成図
【図６】従来の分析装置の第二例の内部構成図
【発明を実施するための形態】
【００１６】
＜分析装置の構造＞
本発明の分析装置の構造を説明する。
図１は分析装置１０の内部構成図である。
【００１７】
分析装置１０は、雰囲気８中の特定成分を吸着する反応材が一面に設けられ、浸漬される雰囲気８中の特定成分の付着量に応じて周波数が変化する複数の発振子１１1〜１１4と、一の発振子１１1〜１１4と帰還抵抗素子とが入力端子と出力端子との間に並列に接続された増幅器を備える複数の発振回路１２1〜１２4と、各発振回路１２1〜１２4の増幅器の正側電源端子に、増幅器を動作させるオン電圧と、増幅器の動作を停止させるオフ電圧とをそれぞれ印加する制御部１５と、各発振回路１２1〜１２4の増幅器の出力端子がそれぞれ接続された伝送路１６と、伝送路１６に接続され、伝送路１６を流れる信号の周波数を計測する計測部１４とを有している。
雰囲気８はここでは特定成分が溶解した液体が用いられるが、本発明の雰囲気８は液体に限定されず、特定成分が拡散したガスであってもよい。
【００１８】
本実施例では、各発振回路１２1〜１２4の増幅器の出力端子と伝送路１６との間には、オフ電圧が印加された発振回路１２1〜１２4を伝送路１６から電気的に切り離し、オン電圧が印加された発振回路１２1〜１２4の出力信号を伝送路１６を介して計測部１４に伝達する逆流防止回路１３が接続されている。
制御部１５には、制御部１５に電源電圧を供給する電源装置３８と、制御部１５に入力信号を入力する計算機３７とが接続されている。
【００１９】
各発振子１１1〜１１4の構造は互いに同じであり、符号１１1の発振子で代表して説明する。
図３（ａ）は発振子１１1の平面図、図３（ｂ）は同Ａ−Ａ線切断断面図である。図３（ａ）の図面上では後述する樹脂の記載を省略している。
【００２０】
発振子１１1は、ここでは石英からなる円板形状の振動子１１ａと、振動子１１ａの表面と裏面とにそれぞれ配置された第一、第二の電極１１ｂ、１１ｃとを有している。
第二の電極１１ｃは樹脂１１ｅで封止されており、発振子１１1が雰囲気中に浸漬されても、第一、第二の電極１１ｂ、１１ｃ間が雰囲気により電気的に短絡されることはなく、第一、第二の電極１１ｂ、１１ｃ間に電圧が印加されると振動子１１ａが発振できるようになっている。
【００２１】
第一の電極１１ｂの表面には雰囲気中の特定の成分と反応して吸着する反応材１１ｄが設けられている。発振子１１1が雰囲気中に浸漬されると、雰囲気中の特定の成分は反応材１１ｄの表面と反応して付着し、振動子１１ａの発振周波数は付着した特定成分の付着量に応じて変化するようになっている。付着した特定成分の付着量が多いほど、付着物の重量が増加して、振動子１１ａの発振周波数は低下する。
【００２２】
図２は分析装置１０の等価回路図である。
各発振回路１２1〜１２4の構造は互いに同じであり、図２の図面上では符号１２1の発振回路の内部構造に符号を付し、他の発振回路１２2〜１２4の内部構造には符号を省略している。
【００２３】
発振回路１２1〜１２4の構造を、符号１２1の発振回路で代表して説明する。
発振回路１２1は、増幅器２１と、帰還抵抗素子２２と、第一、第二の容量素子２３、２４と、補助増幅器２５とを有している。発振子１１1と帰還抵抗素子２２は増幅器２１の入力端子２７と出力端子２６との間に並列に接続されている。帰還抵抗素子２２は増幅器２１の出力端子２６から出力された出力信号を入力端子２７に帰還させる。
【００２４】
ここでは増幅器２１と補助増幅器２５はＣＭＯＳ論理反転回路である。増幅器２１の入力端子２７には発振子１１1の一方の電極と帰還抵抗素子２２の一端と第一の容量素子２３の一端とが電気的に接続され、出力端子２６には発振子１１1の他方の電極と帰還抵抗素子２２の他端と第二の容量素子２４の一端と補助増幅器２５の入力端子とが電気的に接続されている。第一、第二の容量素子２３、２４の他端と、増幅器２１の負側電源端子（ＧＮＤ端子）と補助増幅器２５の負側電源端子は接地されている。
【００２５】
増幅器２１の正側電源端子（Ｖdd端子）２８と補助増幅器２５の正側電源端子に、増幅器２１を動作させるオン電圧である正電圧が印加されると、増幅器２１と補助増幅器２５が動作して、発振子１１1に電圧が印加され、発振子１１1が発振する。第一、第二の容量素子２３、２４は発振子１１1の発振周波数を所定の周波数に安定させる。増幅器２１の出力端子２６には発振子１１1の発振周波数と同じ周波数の出力信号が出力され、出力信号は補助増幅器２５に入力され、補助増幅器２５の出力端子には増幅器２１の出力信号と同じ周波数で論理が反転された出力信号が出力される。
【００２６】
一方、増幅器２１の正側電源端子２８と補助増幅器２５の正側電源端子に、増幅器２１の動作を停止させるオフ電圧（ここではハイ・インピーダンス）が印加されると、増幅器２１と補助増幅器２５の動作は停止され、発振子１１1の発振が停止し、増幅器２１と補助増幅器２５の出力端子はハイ・インピーダンスになる。このとき、増幅器２１の出力端子２６から帰還抵抗素子２２には電流が流れないため、発振回路１２1で電流消費がない。
【００２７】
本発明では、一の発振子１１1には一の発振回路１２1が接続されており、発振子１１1と発振回路１２1と、を接続する配線を各発振子１１1〜１１4を通して最短にすることができる。すなわち、各発振子１１1〜１１4と発振回路１２1〜１２4と、を接続する配線のインピーダンスを下げることができるので、発振回路１２1〜１２4の発振余裕度が向上する。よって、発振子１１1〜１１4に付着物が付着することにより、発振子１１1〜１１4のインピーダンスが増加しても、安定した周波数で発振を持続させることができる。
【００２８】
制御部１５は、複数のトランジスタ３５1〜３５4と、プルアップ抵抗３５ａ1〜３５ａ4とを有している。
トランジスタ３５1〜３５4はここではＰＭＯＳトランジスタであり、ソース端子には電源装置３８が電気的に接続され、ドレイン端子にはそれぞれ異なる発振回路１２1〜１２4の増幅器２１の正側電源端子２８と補助増幅器２５の正側電源端子とが電気的に接続され、ゲート端子には計算機３７が電気的に接続されている。
ここでは、計算機３７は、各トランジスタ３５1〜３５4のうち、一のトランジスタに負論理の入力信号を入力するように構成されている。
【００２９】
各トランジスタ３５1〜３５4のソース端子に電源装置３８から正電圧が印加された状態で、一のトランジスタ（例えば、符号３５1のトランジスタ）のゲート端子に計算機３７から入力信号が入力されると、一のトランジスタ３５1のソース端子とドレイン端子との間にチャネルが形成されて電流が流れ、一のトランジスタ３５1に接続された一の発振回路１２1の増幅器２１の正側電源端子２８と補助増幅器２５の正側電源端子にオン電圧である正電圧が印加される。
【００３０】
プルアップ抵抗３５ａ1〜３５ａ4は、一端と他端とがトランジスタ３５1〜３５4のソース端子とゲート端子にそれぞれ接続されており、ゲート端子に計算機３７から入力信号が入力されていないときには、ゲート端子は正電位にされて、ソース端子とドレイン端子との間にチャネルが形成されることが防止されている。
【００３１】
従って、制御部１５は、一のトランジスタ（例えば、符号３５1のトランジスタ）のゲート端子に入力信号が入力されて、一の発振回路１２1の増幅器２１の正側電源端子２８にオン電圧を印加するときに、他のトランジスタ３５2〜３５4のゲート端子は正電位にされ、他の発振回路１２2〜１２4の増幅器２１の正側電源端子２８にはオフ電圧を印加するようになっている。よって、同時に二個以上の発振子１１1〜１１4が動作することはなく、出力信号の干渉を排除できる。
【００３２】
本発明では、スイッチング回路である制御部１５は、各発振回路１２1〜１２4の増幅器２１の正側電源端子２８に接続され、発振信号が流れる出力端子２６又は入力端子２７には接続されていない。そのため、制御部１５のオン抵抗が大きいことにより、発振子１１1〜１１4が基本波又は逓倍波で発振しなかったり、制御部１５の出力端子間容量により交流信号を遮断できないという問題は起こらない。
【００３３】
よって、制御部１５を、オン抵抗が電磁リレーより大きい半導体で構成することができ、電磁リレーを用いる場合よりも、消費電力を低減でき、部品コストを削減できる。また切換頻度を増やしても電磁リレーより寿命が長く、単位時間当たりの切換頻度を増やすことにより、各発振回路１２1〜１２4からの出力信号の測定回数を増やすことができる。
【００３４】
逆流防止回路１３は、各発振回路１２1〜１２4の増幅器２１の出力端子２６と伝送路１６との間にそれぞれ直列に接続された複数の容量性カップリング３１1〜３１4を有している。
各容量性カップリング３１1〜３１4の構成は互いに同様であり、符号３１1の容量性カップリングで代表して説明する。
【００３５】
容量性カップリング３１1の一端は一の発振回路１２1の補助増幅器２５の出力端子に接続され、他端は伝送路１６に接続されている。
補助増幅器２５の出力端子と正側電源端子の間には保護ダイオード（不図示）が接続されている。保護ダイオードのアノード端子は補助増幅器２５の出力端子に接続され、カソード端子は補助増幅器２５の正側電源端子に接続されている。
【００３６】
補助増幅器２５の出力端子から発振子１１1の発振周波数と同じ周波数の出力信号が出力されると、容量性カップリング３１1は当該出力信号を伝送路１６に伝達する。すなわち、伝送路１６には発振子１１1の発振周波数と同じ周波数の信号が流れる。
また、容量性カップリング３１1により、発振回路１２1の出力端子と伝送路１６との間を流れる直流電流は切り離される。
【００３７】
よって、オン電圧が印加された一の発振回路１２1から伝送路１６に伝達された出力信号は、伝送路１６からオフ電圧が印加された他の発振回路１２2〜１２4の保護ダイオードを通って他の発振回路１２2〜１２4の増幅器２１の正側電源端子２８に逆流し、他の発振回路１２2〜１２4を動作させてしまうことはない。
【００３８】
計測部１４は伝送路１６に電気的に接続され、伝送路１６を流れる信号の周波数を計測できるように構成されている。一の発振回路１２1にオン電圧が印加されているとき、他の発振回路１２2〜１２4にはオフ電圧が印加され、伝送路１６から他の発振回路１２2〜１２4の保護ダイオードを通って他の発振回路１２2〜１２4の増幅器２１の正側電源端子２８に流れる直流電流は遮断され、他の発振回路１２2〜１２4が動作することがないので、一の発振回路１２1から出力されて伝送路１６を流れる出力信号は他の発振回路１２2〜１２4からの出力信号の影響を受けて歪んだり周波数が変化することはなく、計測部１４は一の発振回路１２1から出力された出力信号の周波数を精密に計測できる。
【００３９】
計算機３７には、発振子１１1〜１１4の発振周波数と付着物の重量との対応関係が予め記憶されており、記憶された対応関係から、計測部１４で計測された周波数に基づいて、発振させている発振子１１1〜１１4に付着した付着物の重量（付着した特定成分の付着量）を求めるように構成されている。
【００４０】
＜分析装置の使用方法＞
上述の分析装置１０を使用した液体中の特定成分の分析方法を説明する。
（準備工程）
各発振子１１1〜１１4の第一の電極１１ｂの表面に、液体中の成分のうちそれぞれ異なる種類の特定成分と反応して付着させる反応材１１ｄをそれぞれ設けておく（図３参照）。
図１を参照し、複数の容器７1〜７4に液体８を入れておき、各容器７1〜７4内に発振子１１1〜１１4をそれぞれ配置して、各発振子１１1〜１１4を液体８中に浸漬させる。
【００４１】
図２を参照し、電源装置３８から制御部１５の各トランジスタ３５1〜３５4のソース端子に正電圧を印加し、以後正電圧の印加を継続する。プルアップ抵抗３５ａ1〜３５ａ4により、各トランジスタ３５1〜３５4のゲート端子は正電位にされ、ドレインからゲートに電流は流れない。よって、各発振回路１２1〜１２4の増幅器２１の正側電源端子２８と補助増幅器２５の正側電源端子にはオフ電圧が印加され、増幅器２１と補助増幅器２５は動作しない。各発振回路１２1〜１２4に電流は流れず、電流消費は生じない。
【００４２】
計算機３７から制御部１５の一のトランジスタ３５1に入力信号を入力する。
一のトランジスタ３５1に入力信号が入力されると、当該トランジスタ３５1は一の発振回路１２1の増幅器２１の正側電源端子２８と補助増幅器２５の正側電源端子にオン電圧を印加する。
【００４３】
オン電圧を印加された増幅器２１と補助増幅器２５は動作して、当該増幅器２１の入力端子２７と出力端子２６との間に接続された一の発振子１１1を発振させ、補助増幅器２５の出力端子から発振子１１1の発振周波数と同じ周波数の出力信号が出力される。
【００４４】
制御部１５は発振回路１２1の増幅器２１の正側電源端子２８に接続され、入力端子２７又は出力端子２６には接続されていないため、制御部１５のオン抵抗が大きいことにより発振子１１1が所定の周波数で発振しなかったり、制御部１５の出力端子間容量により交流信号を遮断できないという問題は生じない。
一の発振回路１２1から出力された出力信号は逆流防止回路１３の容量性カップリング３１1を介して伝送路１６に伝達され、計測部１４で周波数が計測される。
【００４５】
計算機３７から一のトランジスタ３５1に入力信号が入力されている間、他のトランジスタ３５2〜３５4には入力信号は入力されず、他の発振回路１２1〜１２4の増幅器２１の正側電源端子２８と補助増幅器２５の正側電源端子にはオフ電圧が印加され、他のトランジスタ３５2〜３５4では電流消費は生じない。また、逆流防止回路１３により伝送路１６から他の発振回路１２2〜１２4の保護ダイオードを通って他の発振回路１２2〜１２4の増幅器２１の正側電源端子２８に流れる直流電流が遮断され、他の発振回路１２2〜１２4が動作することがないので、一の発振回路１２1から出力された伝送路１６を流れる出力信号は、他の発振回路１２2〜１２4からの出力信号の影響を受けて歪んだり周波数が変化することは起こらない。
【００４６】
よって、計測部１４で計測された出力信号の周波数は発振子１１1の発振周波数と同じであり、計算機３７は計測部１４で計測された出力信号の周波数を初期周波数として記憶する。
計算機３７は一の発振子１１1の初期周波数を記憶した後、一のトランジスタ３５1への入力信号を停止する。
【００４７】
他の発振子１１2〜１１4についても上記と同様にして、一のトランジスタに入力信号を入力して一の発振子の初期周波数を計測して記憶することを、他の各発振子１１2〜１１4に対して順番に一つずつ行う。
【００４８】
（試料分析工程）
計算機３７は、一のトランジスタに入力信号を入力して一の発振子の初期周波数を計測して記憶することを、各発振子１１1〜１１4に対して以後順番に繰り返す。ここでは、入力信号のパルス幅を１００ｍｓｅｃにし、一の入力信号と次の入力信号の間の間隔を２５ｍｓｅｃにするが、本発明は、これらの時間の長さに限定されない。
制御部１５は半導体で構成されており、入力信号の切り換えを繰り返しても、電磁リレーとは違って寿命は短くならない。
【００４９】
図１を参照し、各容器７1〜７4内に、分析対象である試料を投入する。
投入された試料は液体８中に溶けて溶液が生成され、生成された溶液中の特定成分は発振子１１1〜１１4に設けられた反応材１１ｄの表面と反応して、反応材１１ｄの表面に付着し始める。
成分の付着量が増加するにしたがって、発振子１１1〜１１4の発振周波数は低下する。
【００５０】
計算機３７は、各発振子１１1〜１１4毎に、計測された周波数に基づいて、発振させている発振子１１1〜１１4の反応材１１ｄに付着した特定成分の付着量を求める。
また、求めた特定成分の付着量を、試料の投入時刻からの経過時間で割って、特定成分と反応材１１ｄとの反応速度を計算する。
【００５１】
各発振子１１1〜１１4には互いに異なる種類の反応材１１ｄが設けられており、一回の試料分析工程でそれぞれ異なる種類の反応材１１ｄと反応する複数種類の成分の付着量と反応速度を求めることができる。
【００５２】
一の発振子１１1が発振して一の発振回路１２1からの出力信号が伝送路１６を流れている間は、伝送路１６から他の発振回路１２2〜１２4の保護ダイオードを通って他の発振回路１２2〜１２4の正側電源端子に流れようとする直流電流は遮断され、他の発振回路１２2〜１２4が動作することがないので、伝送路１６を流れる出力信号は他の発振回路１２2〜１２4からの出力信号の影響を受けて歪んだり周波数が変化することはなく、一の発振子１１1の発振周波数を精密に計測することができ、特定成分の付着量を精密に求めることができる。
【００５３】
また一の発振回路１２1にオン電圧を印加しているとき、他の発振回路１２2〜１２4にオフ電圧を印加して動作させないため、他の発振回路１２2〜１２4で電流消費は起こらず、従来の分析装置より電流消費を低減できる。
【００５４】
＜第二例の分析装置の構造＞
本発明の第二例の分析装置１０’の構造を説明する。
図４は第二例の分析装置１０’の等価回路図である。第二例の分析装置１０’の構造のうち、上述の符号１０の分析装置（以下、第一例の分析装置と呼ぶ）の構造と同じ部分には同じ符号を付して説明を省略する。
【００５５】
第二例の分析装置１０’は、第一例の分析装置１０の制御部１５と逆流防止回路１３の代わりに、別構造の制御部１５’と逆流防止回路１３’とを有している。
第二例の分析装置１０’の逆流防止回路１３’は、各発振回路１２1〜１２4の増幅器２１の出力端子２６と伝送路１６との間にそれぞれ直列に接続された複数のダイオード３３1〜３３4を有している。
【００５６】
ダイオード３３1〜３３4はここではショットキーバリアダイオードであり、ダイオード３３1〜３３4のアノード端子はそれぞれ異なる発振回路１２1〜１２4の補助増幅器２５の出力端子に接続され、カソード端子は伝送路１６に接続されている。
伝送路１６には補助抵抗３４の一端が接続され、補助抵抗３４の他端は接地されている。
【００５７】
補助増幅器２５の出力端子から発振子１１1の発振周波数と同じ周波数の出力信号が出力されると、ダイオード３３1は当該出力信号を伝送路１６に伝達する。すなわち、伝送路１６には発振子１１1の発振周波数と同じ周波数の信号が流れる。
また、ダイオード３３1により、伝送路１６から発振回路１２1の出力端子へ流れる直流電流は切り離される。
【００５８】
よって、オン電圧が印加された一の発振回路１２1から伝送路１６に伝達された出力信号は、伝送路１６からオフ電圧が印加された他の発振回路１２2〜１２4の保護ダイオードを通って他の発振回路１２2〜１２4の増幅器２１の正側電源端子２８に逆流し、他の発振回路１２2〜１２4を動作させてしまうことはない。
【００５９】
第二例の分析装置１０’の制御部１５’は複数の出力端子を有するＣＭＯＳ論理回路であり、電源端子には電源装置３８が電気的に接続され、複数の出力端子にはそれぞれ異なる発振回路１２1〜１２4の増幅器２１の正側電源端子２８と補助増幅器２５の正側電源端子とが電気的に接続され、入力端子には計算機３７が接続され、接地端子は接地されている。
【００６０】
制御部１５’は、計算機３７からの入力信号に基づいて、一の出力端子にオン電圧を出力して、一の発振回路（ここでは符号１２1の発振回路）にオン電圧を印加し、一の発振回路１２1にオン電圧を印加するときには、他の出力端子にオフ電圧を出力して、他の発振回路１２2〜１２4にオフ電圧を印加するように構成されている。
そのため、一の発振回路１２1にオン電圧を印加しているとき、他の発振回路１２2〜１２4で電流消費は起こらず、従来の分析装置より電流消費を低減できる。
【００６１】
発振回路１２1〜１２4の消費電力がＣＭＯＳ論理回路の出力端子からの出力電力以下であれば、ＣＭＯＳ論理回路の出力端子を発振回路１２1〜１２4の増幅器２１の正側電源端子２８と補助増幅器２５の正側電源端子に直接配線することができ、部品コストの削減になり、回路基板の小型化が可能となる。
第二例の分析装置１０’の使用方法は第一例の分析装置１０の使用方法と同様であり、説明を省略する。
【００６２】
上述の第一例、第二例の分析装置１０、１０’の説明では、それぞれ４組の発振子１１1〜１１4と発振回路１２1〜１２4の組を有する構成で説明したが、発振子１１1〜１１4と発振回路１２1〜１２4の組の数は４組に限定されず、２組以上であればよい。
また、増幅器２１の正側電源端子２８に印加する電圧の調整により各発振回路１２1〜１２4の間欠動作が可能な場合には、逆流防止回路１３、１３’を省略してもよい。
【符号の説明】
【００６３】
８……雰囲気（液体）
１０、１０’……分析装置
１１1〜１１4……発振子
１１ｄ…反応材
１２1〜１２4……発振回路
１３、１３’……逆流防止回路
１４……計測部
１５、１５’……制御部
１６……伝送路
２１……増幅器
２２……帰還抵抗素子
２６……増幅器の出力端子
２７……増幅器の入力端子
２８……増幅器の正側電源端子
３１1〜３１4……容量性カップリング
３３1〜３３4……ダイオード
３５1〜３５4……トランジスタ
【図１】
0005771444.tif 000002
【図２】
0005771444.tif 000003
【図３】
0005771444.tif 000004
【図４】
0005771444.tif 000005
【図５】
0005771444.tif 000006
【図６】
0005771444.tif 000007